(57)【要約】【課題】  外観上の体裁を効果的に向上させながらもレンズ収差によりレンズ外周付近を通して見る直線が歪んで見える現象を効果的に抑制して、使用者がレンズ慣れするまでの時間を効果的に短縮する。【解決手段】  遠用部２と近用部３とを備える遠近両用眼鏡レンズ１において、レンズ過半を占める前記遠用部２のレンズ曲面が非球面形状に構成されている。【選択図】        図２
2007163869.tif 000002
【特許請求の範囲】
【請求項１】
遠用部と近用部とを備える遠近両用眼鏡レンズであって、
レンズ過半を占める前記遠用部のレンズ曲面が非球面形状に構成されている遠近両用眼鏡レンズ。
【請求項２】
前記近用部のレンズ曲面が球面形状に構成されている請求項１記載の遠近両用眼鏡レンズ。
【請求項３】
レンズ外周縁の全周に亘るレンズ外周縁部が前記遠用部に該当する構成である請求項１又は２記載の遠近両用眼鏡レンズ。
【請求項４】
遠用部と近用部とを備える遠近両用眼鏡レンズの成形面を備える遠近両用眼鏡レンズモールドであって、
前記成形面のうち、前記遠用部を成形する遠用部成形面部が非球面形状に構成されている遠近両用眼鏡レンズモールド。
【請求項５】
前記近用部を形成する近用部形成面部が球面形状に構成されている請求項４記載の遠近両用眼鏡レンズモールド。
【請求項６】
前記遠用部成形面部は、前記遠近両用眼鏡レンズの外周縁全周に亘るレンズ外周縁部を含む構成である請求項４又は５記載の遠近両用眼鏡レンズモールド。
【請求項７】
遠用部と近用部とを備えるガラス製の遠近両用眼鏡レンズの形成面、又は、遠用部と近用部とを備える樹脂製の遠近両用眼鏡レンズ成形用の遠近両用眼鏡レンズモールドの形成面を備えるレンズ形成台であって、
前記形成面のうち、前記遠近両用眼鏡レンズの遠用部又は前記遠近両用眼鏡レンズモールドの遠用部成形面部を形成する遠用部形成面部が非球面形状に構成されているとともに、遠近両用眼鏡レンズの近用部又は遠近両用眼鏡レンズモールドの近用部成形面部を形成する近用部形成面部が球面形状に構成されているレンズ形成台。
【請求項８】
遠用部と近用部とを備える多重焦点の遠近両用眼鏡レンズのうち、レンズ過半を占める前記遠用部のレンズ曲面が非球面形状に構成された遠近両用眼鏡レンズの成形面を備える遠近両用眼鏡レンズモールドを形成する遠近両用眼鏡レンズモールド形成方法であって、
前記遠近両用眼鏡レンズの遠用部を成形する遠用部成形面部が球面形状に構成された成型済み遠近両用眼鏡レンズモールドを、レンズ形成面が非球面形状に構成されたレンズ形成台に対し型押しすることにより、遠近両用眼鏡レンズモールドを形成する遠近両用眼鏡レンズモールド形成方法。
【請求項９】
遠用部と近用部とを備える多重焦点の遠近両用眼鏡レンズのうち、レンズ過半を占める前記遠用部のレンズ曲面が非球面形状に構成され、且つ、前記近用部のレンズ曲面が球面形状に構成された遠近両用眼鏡レンズの成形面を備える遠近両用眼鏡レンズモールドを形成する遠近両用眼鏡レンズモールド形成方法であって、
前記遠近両用眼鏡レンズの遠用部を成形する遠用部成形面部が球面形状に構成された成型済み遠近両用眼鏡レンズモールドにおける近用部を成形する近用部形成面部と、レンズ形成面が球面部と非球面部とを備える非球面形状に構成されたレンズ形成台における前記球面部とを相対向させる状態で、成形済み遠近両用眼鏡レンズモールドをレンズ形成台に対し型押しすることにより、遠近両用眼鏡レンズモールドを形成する遠近両用眼鏡レンズモールド形成方法。
【請求項１０】
遠用部と近用部とを備える多重焦点の遠近両用眼鏡レンズのうち、レンズ過半を占める前記遠用部のレンズ曲面が非球面形状に構成された遠近両用眼鏡レンズを成形する遠近両用眼鏡レンズ成形方法であって、
前記遠近両用眼鏡レンズの成形面のうち、遠近両用眼鏡レンズの遠用部を成形する遠用部成形面部が球面形状に構成された成型済み遠近両用眼鏡レンズモールドを、レンズ形成面が非球面形状に構成されたレンズ形成台に対し型押しすることにより遠近両用眼鏡レンズモールドを形成し、
この遠近両用眼鏡レンズモールドを用いて構成したレンズ注型に溶融レンズ原料を注入して凝固させることにより遠近両用眼鏡レンズを成形する遠近両用眼鏡レンズ成形方法。
【請求項１１】
遠用部と近用部とを備える多重焦点の遠近両用眼鏡レンズのうち、レンズ過半を占める前記遠用部のレンズ曲面が非球面形状に構成され、且つ、前記近用部のレンズ曲面が球面形状に構成された遠近両用眼鏡レンズを成形する遠近両用眼鏡レンズ成形方法であって、
前記遠近両用眼鏡レンズの成形面のうち、遠近両用眼鏡レンズの遠用部を成形する遠用部成形面部が球面形状に構成された成型済み遠近両用眼鏡レンズモールドにおける近用部を形成する近用部形成面部と、レンズ形成面が球面部と非球面部とを備える非球面形状に構成されたレンズ形成台における前記球面部とを相対向させる状態で、成形済み遠近両用眼鏡レンズモールドをレンズ形成台に対し型押しすることにより遠近両用眼鏡レンズモールドを形成し、
この遠近両用眼鏡レンズモールドを用いて構成したレンズ注型に溶融レンズ原料を注入して凝固させることにより遠近両用眼鏡レンズを成形する遠近両用眼鏡レンズ成形方法。
【請求項１２】
遠用部と近用部とを備える多重焦点の遠近両用眼鏡レンズのうち、レンズ過半を占める前記遠用部のレンズ曲面が非球面形状に構成された遠近両用眼鏡レンズを成形する遠近両用眼鏡レンズ成形方法であって、
前記遠用部が球面形状に構成された成型済み遠近両用眼鏡レンズを、レンズ形成面が非球面形状に構成されたレンズ形成台に対し型押しすることにより遠近両用眼鏡レンズを成形する遠近両用眼鏡レンズ成形方法。
【請求項１３】
遠用部と近用部とを備える多重焦点の遠近両用眼鏡レンズのうち、レンズ過半を占める前記遠用部のレンズ曲面が非球面形状に構成され、且つ、前記近用部のレンズ曲面が球面形状に構成された遠近両用眼鏡レンズを成形する遠近両用眼鏡レンズ成形方法であって、
前記遠用部が球面形状に構成された成型済み遠近両用眼鏡レンズの近用部と、レンズ形成面が球面部と非球面部とを備える非球面形状に構成されたレンズ形成台における前記球面部とを相対向させる状態で、成形済み遠近両用眼鏡レンズをレンズ成形台に対し型押しすることにより遠近両用眼鏡レンズを成形する遠近両用眼鏡レンズ成形方法。
【発明の詳細な説明】
【技術分野】
【０００１】
本発明は、例えば、老眼などにより眼の調整力が低下した場合などに調整力を補うために使用される遠近両用眼鏡レンズに関し、より詳しくは、比較的遠くの視対象用の光学域を備える遠用部と、比較的近くの視対象用の光学域を備える近用部とを備える遠近両用眼鏡レンズに関する。
【背景技術】
【０００２】
この種の遠近両用眼鏡レンズは、レンズ過半を占める球面形状の遠用部と近用部とを別個に配設して多焦点レンズとして構成したものと、連続的に焦点を変化させることで遠用部としての遠用領域から近用部としての近用領域までを境目なく形成して累進屈折レンズとして構成したものがある。
【０００３】
ところで、従来、上記多焦点レンズとして構成した遠近両用眼鏡レンズにおいて、視対象側となるレンズ外面の一部に近用部としての小玉部を配設するとともに、この小玉部の外面を楕円形状などの非球面形状に形成することで、小玉部を球面形状で形成する場合に比して小玉部のレンズ外面から外方への突出量を少なくして外観上の体裁を向上させる遠近両用眼鏡レンズが提案されている。（下記特許文献１参照）
【０００４】
【特許文献１】特開平８−８２７７５号
【発明の開示】
【発明が解決しようとする課題】
【０００５】
しかしながら、上記の如き従来の遠近両用眼鏡レンズのように近用部のレンズ外面から外方への突出量を少なくするにしても、レンズ過半を占める球面形状の遠用部の外周側レンズ厚さが、レンズ外面とレンズ内面との球面半径（すなわち、曲率）の相違により中央レンズ厚さに比して厚くなってしまい、この点で、外観上の体裁が良くないという問題があった。
【０００６】
しかも、レンズ曲面が球面形状に構成された遠用部において、レンズ外面とレンズ内面との曲率の相違に原因するレンズ収差（つまり、レンズ中央付近における入射光の焦点位置とレンズ外周付近において光軸方向に変位した入射光の焦点位置との差）によりレンズ外周付近を通して見る直線が歪んで見える現象が生じることは免れず、特に、このことは、はじめから焦点が複数存在するために使用方法が複雑な遠近両用眼鏡レンズの使用者にとって非常に煩わしいもので、使用者が遠近両用眼鏡レンズに慣れるまでの時間を増長させる重大な問題となっていた。
【０００７】
そして、上述の如き問題は、多焦点レンズとして構成した遠近両用眼鏡レンズのみならず、累進屈折レンズとして構成した遠近両用眼鏡レンズにおいても同様のことであった。
【０００８】
この実情に鑑み、本発明の主たる課題は、外観上の体裁を効果的に向上させながらもレンズ収差によりレンズ外周付近を通して見る直線が歪んで見える現象を効果的に抑制することができて、使用者がレンズ慣れするまでの時間を効果的に短縮することのできる遠近両用眼鏡レンズ、及び、それを成形する遠近両用眼鏡レンズ成形方法、及び、その遠近両用眼鏡レンズの成形面を備える遠近両用眼鏡レンズモールド、及び、それを形成する遠近両用眼鏡レンズモールド形成方法、及び、それら遠近両用眼鏡レンズ又は遠近両用眼鏡レンズモールドを形成する形成面を備えるレンズ形成台を提供する点にある。
【課題を解決するための手段】
【０００９】
本発明の第１特徴構成は遠近両用眼鏡レンズに係り、その特徴は、
遠用部と近用部とを備える遠近両用眼鏡レンズであって、
レンズ過半を占める前記遠用部のレンズ曲面が非球面形状に構成されている点にある。
【００１０】
つまり、上記第１特徴構成であれば、遠用部のレンズ曲面が球面形状に構成された前述の従来技術のようにレンズ外面とレンズ内面との球面半径差から生ずる曲率の相違によりレンズ外周側がレンズ中央に比して厚くなることを効果的に抑制することが可能となり、これにより、外観上の体裁を効果的に向上させることができるとともに、遠用部のレンズ収差を小さくしてレンズ収差に原因するレンズ外周付近を通して見る直線が歪んで見える現象を効果的に抑制することができて、使用者がレンズ慣れに要する時間を効果的に短縮させることができる。
【００１１】
なお、前記第１特徴構成の実施において、視対象側に位置するレンズ外面のレンズ曲面と、使用者側に位置するレンズ内面のレンズ曲面とのどちらか一方のみを非球面形状に構成してもよいが、レンズ外面とレンズ内面の両方ともを非球面形状に構成すれば、レンズ外周側がレンズ中央に比して厚くなることを一層効果的に抑止することが可能となる。
【００１２】
本発明の第２特徴構成は、第１特徴構成の実施に好適な実施形態を特定するものであり、その特徴は、
前記近用部のレンズ曲面が球面形状に構成されている点にある。
【００１３】
つまり、例えば、視対象が比較的近いときに使用される近用部のレンズ曲面も非球面形状に構成する場合、近くの文字を読む際などに違和感を生じない非球面形状とするのに非球面設計及び非球面加工の精度を相当に高く確保しなければならないばかりか、遠用部に対する非球面加工と近用部に対する非球面加工との両方を同一レンズ面に施すことになるために非球面加工の工程が複雑になってしまい、これらのことから、近用部が遠用部に比して小面積であるにもかかわらず非球面設計及び非球面加工にかかる時間及びコストを大幅に増大させてしまう問題がある。
【００１４】
それに対し、近用部が球面形状に構成されている上記第２特徴構成であれば、近用部を非球面形状に構成する場合に生じる上記の如き問題を回避することができ、上述の第１特徴構成の効果を効果的かつ効率良く得ることができる。
【００１５】
本発明の第３特徴構成は、第１、第２特徴構成の実施に好適な実施形態を特定するものであり、その特徴は、
レンズ外周縁の全周に亘るレンズ外周縁部が前記遠用部に該当する構成である点にある。
【００１６】
つまり、上記第３特徴構成であれば、レンズ外周側がレンズ中央に比して厚くなることをレンズ外周縁の全周に亘って抑止することができるから、外観上の体裁を一層効果的に向上させることができるとともに、レンズ外周縁の全周に亘ってレンズ収差を小さくしてレンズ収差によりレンズ外周付近を通して見る直線が歪んで見える現象を一層効果的に抑制することができて、使用者がレンズ慣れに要する時間を一層効果的に短縮させることができる。
【００１７】
本発明の第４特徴構成は遠近両用眼鏡レンズモールドに係り、その特徴は、
遠用部と近用部とを備える遠近両用眼鏡レンズの成形面を備える遠近両用眼鏡レンズモールドであって、
前記成形面のうち、前記遠用部を成形する遠用部成形面部が非球面形状に構成されている点にある。
【００１８】
つまり、上記第４特徴構成によれば、眼鏡レンズモールドを用いて構成したレンズ注型に溶融レンズ原料を注入して凝固させることで眼鏡レンズを成形するモールド工法により、遠用部と近用部とを備える遠近両用眼鏡レンズのうち、レンズ過半を占める前記遠用部のレンズ曲面が非球面形状に構成された遠近両用眼鏡レンズを成形することが可能になる。
【００１９】
すなわち、例えば、遠用部のレンズ曲面が球面形状に構成された成形済み遠近両用眼鏡レンズを研磨して遠用部のレンズ曲面を非球面形状にすることで、或いは、非球面形状の単焦点遠用眼鏡レンズを研磨して近用部を形成することで、レンズ過半を占める前記遠用部のレンズ曲面が非球面形状に構成された遠近両用眼鏡レンズを成形する場合に比して、加工手間及び加工時間を大幅に低減することが可能になるとともに、加工精度にバラツキが生じることを抑制することが可能になり、これにより、この種の遠近両用眼鏡レンズの生産性を向上させることができる。
【００２０】
本発明の第５特徴構成は、第４特徴構成の実施に好適な実施形態を特定するものであり、その特徴は、
前記近用部を形成する近用部形成面部が球面形状に構成されている点にある。
【００２１】
上記第５特徴構成によれば、前記モールド工法により、遠用部と近用部とを備える遠近両用眼鏡レンズのうち、レンズ過半を占める前記遠用部のレンズ曲面が非球面形状に構成され、且つ、前記近用部のレンズ曲面が球面形状に構成された遠近両用眼鏡レンズを成形することが可能になるから、例えば、成型済み遠近両用レンズに研磨加工を施すことで前記遠近両用眼鏡レンズを成形する場合に比して、加工手間及び加工時間を大幅に低減することが可能になるとともに、加工精度にバラツキが生じることを抑制することが可能になり、これにより、この種の遠近両用眼鏡レンズの生産性を向上させることができる。
【００２２】
本発明の第６特徴構成は、第４、第５特徴構成の実施に好適な実施形態を特定するものであり、その特徴は、
前記遠用部成形面部は、前記遠近両用眼鏡レンズの外周縁全周に亘るレンズ外周縁部を含む構成である点にある。
【００２３】
上記第６特徴構成によれば、前記モールド工法により、遠用部と近用部とを備える遠近両用眼鏡レンズのうち、レンズ過半を占める前記遠用部のレンズ曲面が非球面形状に構成され、且つ、前記近用部のレンズ曲面が球面形状に構成されているとともに、レンズ外周縁全周に亘るレンズ外周縁部が遠用部に該当した遠近両用眼鏡レンズを成形することが可能になるから、例えば、成型済み遠近両用レンズに掘削又は研磨加工を施すことで前記遠近両用眼鏡レンズを成形する場合に比して、加工手間及び加工時間を大幅に低減することが可能になるとともに、加工精度にバラツキが生じることを抑制することが可能になり、これにより、この種の遠近両用眼鏡レンズの生産性を向上させることができる。
【００２４】
本発明の第７特徴構成はレンズ形成台に係り、その特徴は、
遠用部と近用部とを備えるガラス製の遠近両用眼鏡レンズの形成面、又は、遠用部と近用部とを備える樹脂製の遠近両用眼鏡レンズ成形用の遠近両用眼鏡レンズモールドの形成面を備えるレンズ形成台であって、
前記形成面のうち、前記遠近両用眼鏡レンズの遠用部又は前記遠近両用眼鏡レンズモールドの遠用部成形面部を形成する遠用部形成面部が非球面形状に構成されているとともに、遠近両用眼鏡レンズの近用部又は遠近両用眼鏡レンズモールドの近用部成形面部を形成する近用部形成面部が球面形状に構成されている点にある。
【００２５】
つまり、上記第７特徴構成によれば、成形済み遠近両用眼鏡レンズを型押し加工して、レンズ過半を占める前記遠用部のレンズ曲面が非球面形状に構成され、且つ、前記近用部のレンズ曲面が球面形状に構成された遠近両用眼鏡レンズを形成する、又は、成形済み遠近両用眼鏡レンズモールドを型押し加工して、前記遠用部を成形する遠用部成形面が非球面形状に構成され、且つ、前記近用部を成形する遠用部成形面が球面形状に構成された遠近両用眼鏡レンズモールドを形成することが可能になる。
【００２６】
すなわち、成形済み遠近両用眼鏡レンズ、又は、成形済み遠近両用眼鏡レンズモールドを有効活用して、前記遠近両用眼鏡レンズ、又は、遠近両用眼鏡レンズモールドを形成することができるから、これらをレンズ原料又はレンズモールドから形成する場合に比して、不要な成形済み遠近両用眼鏡レンズ、又は、成形済み遠近両用眼鏡レンズモールドの処分に要する手間及びコストを削減することができるとともに、上記レンズ原料及びレンズモールド原料の削減を図ることができ、この点で、この種の遠近両用眼鏡レンズ、及び、この種の遠近両用眼鏡レンズモールドの生産性を向上させることができる。
【００２７】
本発明の第８特徴構成は遠近両用眼鏡レンズモールド形成方法に係り、その特徴は、
遠用部と近用部とを備える多重焦点の遠近両用眼鏡レンズのうち、レンズ過半を占める前記遠用部のレンズ曲面が非球面形状に構成された遠近両用眼鏡レンズの成形面を備える遠近両用眼鏡レンズモールドを形成する遠近両用眼鏡レンズモールド形成方法であって、
前記遠近両用眼鏡レンズの遠用部を成形する遠用部成形面部が球面形状に構成された成型済み遠近両用眼鏡レンズモールドを、レンズ形成面が非球面形状に構成されたレンズ形成台に対し型押しすることにより、遠近両用眼鏡レンズモールドを形成する点にある。
【００２８】
つまり、上記第８特徴構成によれば、遠近両用眼鏡レンズの遠用部を成形する遠用部成形面部が球面形状に構成された成型済み遠近両用眼鏡レンズモールド（つまり、一般的な遠近両用眼鏡レンズモールド）型押し加工して、遠用部と近用部とを備える遠近両用眼鏡レンズのうち、レンズ過半を占める前記遠用部のレンズ曲面が非球面形状に構成された遠近両用眼鏡レンズの成形面を備える遠近両用眼鏡レンズモールドを形成する。
【００２９】
すなわち、前記成型済み遠近両用眼鏡レンズモールドを有効活用して前記遠近両用眼鏡レンズモールドを形成するから、新たにレンズモールド原料から前記遠近両用眼鏡レンズモールドを形成する場合に比して、不要な成形済み遠近両用眼鏡レンズモールドの処分に要する手間及びコストを削減することができるとともに、前記レンズモールド原料の削減を図ることができ、この点で、この種の遠近両用眼鏡レンズモールドの生産性を向上させることができる。
【００３０】
本発明の第９特徴構成は遠近両用眼鏡レンズモールド形成方法に係り、その特徴は、
遠用部と近用部とを備える多重焦点の遠近両用眼鏡レンズのうち、レンズ過半を占める前記遠用部のレンズ曲面が非球面形状に構成され、且つ、前記近用部のレンズ曲面が球面形状に構成された遠近両用眼鏡レンズの成形面を備える遠近両用眼鏡レンズモールドを形成する遠近両用眼鏡レンズモールド形成方法であって、
前記遠近両用眼鏡レンズの遠用部を成形する遠用部成形面部が球面形状に構成された成型済み遠近両用眼鏡レンズモールドにおける近用部を成形する近用部形成面部と、レンズ形成面が球面部と非球面部とを備える非球面形状に構成されたレンズ形成台における前記球面部とを相対向させる状態で、成形済み遠近両用眼鏡レンズモールドをレンズ形成台に対し型押しすることにより、遠近両用眼鏡レンズモールドを形成する点にある。
【００３１】
つまり、上記第９特徴構成によれば、遠近両用眼鏡レンズの遠用部を成形する遠用部成形面部が球面形状に構成された成型済み遠近両用眼鏡レンズモールド（つまり、一般的な遠近両用眼鏡レンズモールド）を型押し加工して、遠用部と近用部とを備える遠近両用眼鏡レンズのうち、レンズ過半を占める前記遠用部のレンズ曲面が非球面形状に構成され、且つ、前記近用部のレンズ曲面が球面形状に構成された遠近両用眼鏡レンズの成形面を備える遠近両用眼鏡レンズモールドを形成する。
【００３２】
すなわち、前記成型済み遠近両用眼鏡レンズモールドを有効活用して前記遠近両用眼鏡レンズモールドを形成するから、新たにレンズモールド原料から前記遠近両用眼鏡レンズモールドを形成する場合に比して、不要な成形済み遠近両用眼鏡レンズモールドの処分に要する手間及びコストを削減することができるとともに、前記レンズモールド原料の削減を図ることができ、この点で、この種の遠近両用眼鏡レンズモールドの生産性を向上させることができる。
【００３３】
本発明の第１０特徴構成は遠近両用眼鏡レンズ成形方法に係り、その特徴は、
遠用部と近用部とを備える多重焦点の遠近両用眼鏡レンズのうち、レンズ過半を占める前記遠用部のレンズ曲面が非球面形状に構成された遠近両用眼鏡レンズを成形する遠近両用眼鏡レンズ成形方法であって、
前記遠近両用眼鏡レンズの成形面のうち、遠近両用眼鏡レンズの遠用部を成形する遠用部成形面部が球面形状に構成された成型済み遠近両用眼鏡レンズモールドを、レンズ形成面が非球面形状に構成されたレンズ形成台に対し型押しすることにより遠近両用眼鏡レンズモールドを形成し、
この遠近両用眼鏡レンズモールドを用いて構成したレンズ注型に溶融レンズ原料を注入して凝固させることにより遠近両用眼鏡レンズを成形する点にある。
【００３４】
つまり、上記第１０特徴構成によれば、前記遠近両用眼鏡レンズの遠用部を成形する遠用部成形面部が球面形状に構成された成型済み遠近両用眼鏡レンズモールド（つまり、一般的な遠近両用眼鏡レンズモールド）を型押し加工して形成した遠近両用眼鏡レンズモールドを用いて、遠用部のレンズ曲面が非球面形状に構成された遠近両用眼鏡レンズを成形する。
【００３５】
すなわち、前記成型済み遠近両用眼鏡レンズモールドを有効活用して前記遠近両用眼鏡レンズを成型するから、新たにレンズモールド原料から形成した遠近両用眼鏡レンズモールドを用いて前記遠近両用眼鏡レンズを成形する場合に比して、不要な成形済み遠近両用眼鏡レンズモールドの処分に要する手間及びコストを削減することができるとともに、前記レンズモールド原料の削減を図ることができ、この点で、この種の遠近両用眼鏡レンズの生産性を向上させることができる。
【００３６】
本発明の第１１特徴構成は遠近両用眼鏡レンズ成形方法に係り、その特徴は、
遠用部と近用部とを備える多重焦点の遠近両用眼鏡レンズのうち、レンズ過半を占める前記遠用部のレンズ曲面が非球面形状に構成され、且つ、前記近用部のレンズ曲面が球面形状に構成された遠近両用眼鏡レンズを成形する遠近両用眼鏡レンズ成形方法であって、
前記遠近両用眼鏡レンズの成形面のうち、遠近両用眼鏡レンズの遠用部を成形する遠用部成形面部が球面形状に構成された成型済み遠近両用眼鏡レンズモールドにおける近用部を形成する近用部形成面部と、レンズ形成面が球面部と非球面部とを備える非球面形状に構成されたレンズ形成台における前記球面部とを相対向させる状態で、成形済み遠近両用眼鏡レンズモールドをレンズ形成台に対し型押しすることにより遠近両用眼鏡レンズモールドを形成し、
この遠近両用眼鏡レンズモールドを用いて構成したレンズ注型に溶融レンズ原料を注入して凝固させることにより遠近両用眼鏡レンズを成形する点にある。
【００３７】
つまり、上記第１１特徴構成によれば、前記遠近両用眼鏡レンズの遠用部を成形する遠用部成形面部が球面形状に構成された成型済み遠近両用眼鏡レンズモールド（つまり、一般的な遠近両用眼鏡レンズモールド）を型押し加工して形成した遠近両用眼鏡レンズモールドを用いて、遠用部のレンズ曲面が非球面形状に構成され、且つ、近用部のレンズ曲面が球面形状に構成された遠近両用眼鏡レンズを成形する。
【００３８】
すなわち、前記成型済み遠近両用眼鏡レンズモールドを有効活用して前記遠近両用眼鏡レンズを成型するから、新たにレンズモールド原料から形成した遠近両用眼鏡レンズモールドを用いて前記遠近両用眼鏡レンズを成形する場合に比して、不要な成形済み遠近両用眼鏡レンズモールドの処分に要する手間及びコストを削減することができるとともに、前記レンズモールド原料の削減を図ることができ、この点で、この種の遠近両用眼鏡レンズの生産性を向上させることができる。
【００３９】
本発明の第１２特徴構成は、遠近両用眼鏡レンズ成形方法に係り、その特徴は、
遠用部と近用部とを備える多重焦点の遠近両用眼鏡レンズのうち、レンズ過半を占める前記遠用部のレンズ曲面が非球面形状に構成された遠近両用眼鏡レンズを成形する遠近両用眼鏡レンズ成形方法であって、
前記遠用部が球面形状に構成された成型済み遠近両用眼鏡レンズを、レンズ形成面が非球面形状に構成されたレンズ形成台に対し型押しすることにより遠近両用眼鏡レンズを成形する点にある。
【００４０】
つまり、上記第１２特徴構成によれば、レンズ過半を占める遠用部が球面形状に構成された成型済み遠近両用眼鏡レンズ（つまり、一般的な遠近両用眼鏡レンズ、例えば、バイフォーカルと呼称されるもの）を加工して、遠用部のレンズ曲面が非球面形状に構成された遠近両用眼鏡レンズを成形する。
【００４１】
すなわち、前記成型済み遠近両用眼鏡レンズを有効活用して前記遠近両用眼鏡レンズを成型するから、新たにレンズ原料から前記遠近両用眼鏡レンズを成形する場合に比して、不要な成形済み遠近両用眼鏡レンズの処分に要する手間及びコストを削減することができるとともに、前記レンズ原料の削減を図ることができ、この点で、この種の遠近両用眼鏡レンズの生産性を向上させることができる。
【００４２】
本発明の第１３特徴構成は遠近両用眼鏡レンズ成形方法に係り、その特徴は、
遠用部と近用部とを備える多重焦点の遠近両用眼鏡レンズのうち、レンズ過半を占める前記遠用部のレンズ曲面が非球面形状に構成され、且つ、前記近用部のレンズ曲面が球面形状に構成された遠近両用眼鏡レンズを成形する遠近両用眼鏡レンズ成形方法であって、
前記遠用部が球面形状に構成された成型済み遠近両用眼鏡レンズの近用部と、レンズ形成面が球面部と非球面部とを備える非球面形状に構成されたレンズ形成台における前記球面部とを相対向させる状態で、成形済み遠近両用眼鏡レンズをレンズ成形台に対し型押しすることにより遠近両用眼鏡レンズを成形する点にある。
【００４３】
つまり、上記第１３特徴構成によれば、レンズ過半を占める遠用部が球面形状に構成された成型済み遠近両用眼鏡レンズ（つまり、一般的な遠近両用眼鏡レンズ、例えば、バイフォーカルと呼称されるもの）を加工して、遠用部のレンズ曲面が非球面形状に構成され、且つ、近用部のレンズ曲面が球面形状に構成された遠近両用眼鏡レンズを成形する。
【００４４】
すなわち、前記成型済み遠近両用眼鏡レンズを有効活用して前記遠近両用眼鏡レンズを成型するから、新たにレンズ原料から前記遠近両用眼鏡レンズを成形する場合に比して、不要な成形済み遠近両用眼鏡レンズの処分に要する手間及びコストを削減することができるとともに、前記レンズ原料の削減を図ることができ、この点で、この種の遠近両用眼鏡レンズの生産性を向上させることができる。
【発明を実施するための最良の形態】
【００４５】
図１、図２は、視対象側のレンズ外面が凸面に構成された合成樹脂製の遠近両用眼鏡レンズ１（本実施例では直径約８５ｍｍ）を示し、この遠近両用眼鏡レンズ１は、比較的近い視対象用の光学域を備える近用部３をレンズ中央部１Ａのレンズ中心Ｃよりもやや外周側に偏心した位置にレンズ外面から外方に突出する半割小玉形状に構成するとともに、この近用部３を除くレンズ中央部１Ａとレンズ外周縁の全周に亘るレンズ外周縁部１Ｂ（すなわち、近用部３以外のレンズ過半を占める部分）を比較的遠い視対象用の光学域を備える遠用部２として構成してある。
【００４６】
前記遠用部２は、その内面２ａのレンズ曲面を半径Ｒ２の球面形状に構成するとともに、その外面２ｂのレンズ曲面を球面形状とは異なる非球面形状に構成してある。具体的には、遠用部２の外面２ｂのレンズ曲面は、その外周側に位置するレンズ外周縁部１Ｂが半径Ｒ３の球面形状の曲面（図２中の一点鎖線）よりもレンズ内面側に位置する曲面に構成してあり、これにより、遠用部２の外面２ｂを球面形状に構成する場合に比して、遠用部２の外周側のレンズ厚さが中央よりも厚くなることを効果的に抑制するようにしてある。
【００４７】
つまり、上述の如く、遠用部２の外周側のレンズ厚さが中央に比して厚くなることを効果的に抑制することで、遠近両用眼鏡レンズ１の外観上の体裁を効果的に向上させるとともに、遠用部２のレンズ収差を小さくしてレンズ収差に原因するレンズ外周付近を通して見る直線が歪んで見える現象を効果的に抑制する。
【００４８】
前記近用部３は、その内面３ａのレンズ曲面を前記遠用部２の内面２ａと同じ半径Ｒ２の球面形状に構成するとともに、その外面３ｂのレンズ曲面を内面３ａの半径Ｒ２よりも小さな半径Ｒ１の球面形状に構成してある。
【００４９】
すなわち、前記遠用部２を非球面形状に構成するとともに前記近用部３を球面形状に構成することで、遠用部２を非球面形状に構成するのに加えて遠用部３よりも非球面設計及び非球面加工に高い精度を必要とする近用部２も非球面形状に構成する場合に比して、非球面設計及び非球面加工にかかる時間及びコストを低減しながらも、レンズ外周縁部１Ｂを前記遠用部３に該当させることで、レンズ外周側がレンズ中央に比して厚くなることをレンズ外周縁の全周に亘って抑止し、これにより、外観上の体裁を一層効果的に向上させるとともに、レンズ外周縁の全周に亘ってレンズ収差を小さくしてレンズ収差によりレンズ外周付近を通して見る直線が歪んで見える現象を一層効果的に抑制する。
【００５０】
なお、前記非球面形状とは、楕円面形状や高次方程式曲面形状ないし異なる曲率の球面形状を組み合わせた形状などの形状をいう。
【００５１】
図３、図４は、前記遠近両用眼鏡レンズ１を前記モールド工法により成形するためのガラス製の遠近両用眼鏡レンズモールド４を示し、この遠近両用眼鏡レンズモールド４は、前記遠近両用眼鏡レンズ１の外面２ｂ、３ｂを成形する凹面形状の遠近両用眼鏡レンズ成形面４Ａを備えるとともに、この遠近両用眼鏡レンズ成形面４Ａの外周縁全周に遠近両用眼鏡レンズモールド４を後述するレンズ注型１０として構成するときに使用する固定縁４Ｂを形成してあり、この固定縁４Ｂの分だけ前記遠近両用眼鏡レンズ１よりも大径に構成してある。
【００５２】
前記遠近両用眼鏡レンズ成形面４Ａは、前記遠近両用レンズ１の遠用部２を成形する遠用部成形面部５と、遠近両用レンズ１の近用部３を成形する近用部形成面部６とから構成してあり、その成形面中心点Ｃ’よりもやや外周側に偏心させた位置に半割小玉形状の凹面に形成した近用部形成面部６を構成するとともに、この近用部成形面部６以外を前記遠用部形成面部５として構成してある。
【００５３】
前記近用部成形面部６は、前記遠近両用レンズ１における近用部３の外面３ｂのレンズ曲面と同じ半径Ｒ１の球面形状に構成してあり、また、前記遠用部成形面部５は、前記遠近両用眼鏡レンズ１における遠用部２の外面２ｂのレンズ曲面と同じ非球面形状に構成してある。具体的には、遠用部成形面部５は、その平面視外周側の全周が半径Ｒ３の球面形状の曲面（図４中の一点鎖線）よりも屈曲する側（つまり、成形対象の遠近両用眼鏡レンズ１側）に位置する曲面に構成してある。
【００５４】
図５、図６は、例えば、ガラス製の前記遠近両用眼鏡レンズ１’、又は、合成樹脂製の遠近両用眼鏡レンズ１成形用の前記遠近両用眼鏡レンズモールド４などの成形対象レンズを加工形成するセラミック製のレンズ形成台７を示し、このレンズ形成台７は、成形対象レンズ径（図中の点線表示範囲（４））よりも僅かに大径のレンズ形成面７Ａを上面に備える略円柱形状に構成してあり、後述する各工法において、成形対象レンズの一部がレンズ形成面７Ａから外れるなどのことによる不良を抑制しながらも電気炉内への配置可能個数を極力多くすることにより、高い生産性を確保できるようにしてある。
【００５５】
前記レンズ形成面７Ａは、球面と非球面とを組み合わせた非球面形状の凹面に構成してあり、成形対象レンズの近用部相当部位（つまり、前記近用部３、前記近用部成形面部６）よりも大径の平面視小円形状の近用部形成面部９を、その中心Ｃｓがレンズ形成面中心Ｃ”からやや外周側に偏心させた位置に構成するとともに、この近用部形成面部９以外の部分を、形成面過半を占める遠用部形成面部８として構成してある。
【００５６】
つまり、近用部形成面部９を成形対象レンズの近用部相当部位よりも大きく構成することで、成形対象レンズの近用部相当部位の形状変化にもある程度対応することが可能にして、レンズ形成台７の汎用性を向上させることができるとともに、レンズ形成面７Ａに成形対象レンズを載置する際に近用部相当部位の全部を近用部形成面部９内に確実に収めることができて、遠近両用眼鏡レンズ１の近用部２の一部が近用部形成面部９から外れることに原因して近用部２の一部が不適合な非球面形状に構成されるなどの不良を抑制することができる。
【００５７】
前記近用部形成面部９は、成形対象レンズの近用部相当部位に対応させた球面形状に構成してあり、また、前記遠用部形成面部８は、成形対象レンズの遠用部相当部位（つまり、前記遠用部２、前記遠用部成形面部５）に対応させた非球面形状に構成してある。具体的には、遠用部形成面部８は、その外周側の全周が球面形状の曲面（図６中の一点鎖線）よりも屈曲する側（つまり、成形対象レンズ側）に位置する曲面に構成してある。
【００５８】
尚、前記近用部形成面部９は、第９、１１、１３特徴構成で云うレンズ形成面の球面部に相当し、前記遠用部形成面部８は、第９、１１、１３特徴構成で云うレンズ形成面の非球面部に相当する。
【００５９】
次に、遠近両用眼鏡レンズモールド形成方法について説明する。
まず、図７（イ）に示すように、前記レンズ形成台７のレンズ形成面７Ａに、遠用部成形面部５が球面形状に構成された成形済み遠近両用眼鏡レンズモールドＭを、その近用部成形面部６とレンズ形成面７Ａの近用部形成面部９とが相対向し、且つ、その遠用部成形面部５とレンズ形成面７Ａの遠用部形成面部８とが相対向するように載置する。
【００６０】
次に、成形済み遠近両用眼鏡レンズモールドＭを載置した状態の複数のレンズ成形台７を電気炉（図示しない）内に並置し、成形済み遠近両用眼鏡レンズモールドＭを電気炉内で最小限の軟化温度で軟化させてレンズ成形台７に垂下変形させる（すなわち、型押しする）ことにより、図７の（ロ）に示す如く、遠用部成形面部５が非球面形状で、且つ、近用部成形面部６が球面形状に構成された遠近両用眼鏡レンズモールド４が出来上がる。
【００６１】
尚、ガラス製の遠近両用眼鏡レンズについても上述と同様の方法により形成することができる。その場合、前記成形済み遠近両用眼鏡レンズモールドＭを成形済み遠近両用眼鏡レンズＲ、前記遠用部形成面部５を遠用部２、近用部形成面部を近用部３、遠近両用眼鏡レンズモールド４を遠近両用眼鏡レンズ１’に読み替えればよい。
【００６２】
次に、遠近両用眼鏡レンズ成形方法について説明する。
まず、上述の遠近両用眼鏡レンズモールド形成方法により、成形済み遠近両用眼鏡レンズモールドＭを加工して前記遠近両用眼鏡レンズモールド４を形成し、図８（イ）に示す如く、この遠近両用眼鏡レンズモールド４と、これとは別の所望形状の成形面を備える眼鏡レンズモールド１１とを成形予定の遠近両用眼鏡レンズ１の厚み分だけ離して成形面どうしを相対向させる状態で、それらレンズモールド４、１１の外周側に形成される環状の隙間を閉塞する固定リング１２で両者を固定することによりレンズ注型１０を構成する。
【００６３】
次に、図８（ロ）に示す如く、前記レンズ注型１０の注入口１０ａから溶融状態にある合成樹脂などの溶融レンズ原料Ｇを注入し、この状態でしばらく放置して溶融レンズ原料Ｇを凝固させる。
【００６４】
そして、図８（ハ）に示す如く、レンズ注型１０を分解して、凝固により成形された遠近両用眼鏡レンズ１を取り出し、注入口部分のバリを切り取って遠近両用眼鏡レンズ１が出来上がる。
【００６５】
つまり、成形済み遠近両用眼鏡レンズモールドＭを用いて遠近両用眼鏡レンズモールド４を形成し、そして、この遠近両用眼鏡レンズモールド４を用いて遠近両用眼鏡レンズを成形するから、新たにレンズモールド原料から遠近両用眼鏡レンズモールド４を形成する場合に比して、不要な成形済み遠近両用眼鏡レンズモールドＭの処分に要する手間及びコストを削減することができるとともに、前記レンズモールド原料の削減を図ることができ、この点で、この種の遠近両用眼鏡レンズモールド４、及び、この種の遠近両用眼鏡レンズ１の生産性を向上させることができる。
【００６６】
［その他の実施形態］
（１）前述の実施形態では、遠近両用眼鏡レンズ１の近用部３を半割小玉形状に構成した場合を例に挙げて説明したが、例えば、図９（イ）（ロ）に示す円形状、或いは、図示しないが三日月状など種々の形状、大きさで構成してもよく、必要に応じ適宜変更すればよい。その場合、遠近両用眼鏡レンズモールド４の近用部形成面部６は、遠近両用眼鏡レンズ１の近用部３の形状、大きさに対応して変更すればよく、また、レンズ成形台７の近用部成形面部９は、遠近両用眼鏡レンズモールド４の近用部形成面部６の形状、大きさに対応して変更すればよい。
【００６７】
（２）前述の実施形態では、遠近両用眼鏡レンズ１の遠用部２の外面２ｂのレンズ曲面を非球面形状に構成し、内面２ａのレンズ曲面を球面形状に構成してある場合を例に挙げて説明したが、遠用部２の外面２ｂのレンズ曲面を球面形状に構成し、内面２ａのレンズ曲面を非球面形状に構成してもよく、また、遠用部２の外面２ｂと内面２ａの両面のレンズ曲面を非球面形状に構成してもよい。
【００６８】
（３）前述の実施形態では、遠近両用眼鏡レンズ１の遠用部２の内面２ａのレンズ曲面を球面形状に構成するのに対し、外面２ｂのレンズ曲面をレンズ外周縁部１Ｂが半径Ｒ３の球面形状の曲面よりもレンズ内面側に位置する曲面に構成してある場合を例に挙げて説明したが、遠用部２の内面２ａ及び外面２ｂの両面のレンズ曲面を非球面形状に構成する場合において、外面２ｂのレンズ曲面をレンズ外周縁部１Ｂが半径Ｒ３の球面形状の曲面よりも外面側に位置する曲面に構成してもよい。その場合、遠近両用眼鏡レンズモールド４の遠用部形成面部５は、その平面視外周側の全周が半径Ｒ３の球面形状の曲面よりも屈曲する側とは反対側に位置する曲面に構成すればよく、また、レンズ形成台７は、図１０に示す如く、レンズ形成面７Ａの遠用部形成面部８の平面視外周側の全周が、球面形状の曲面（図１０中の一点鎖線）よりも屈曲する側とは反対側に位置する曲面に構成すればよい。
【００６９】
（４）前述の実施形態では、合成樹脂製の遠近両用眼鏡レンズ１を例に挙げて説明したが、ガラス製の遠近両用眼鏡レンズ１’であってもよい。
【００７０】
（５）前述の実施形態では、遠近両用眼鏡レンズ１を近用部３と遠用部２とが明確に区分できる二重焦点レンズとして構成した場合を例に挙げて説明したが、遠用部２としての遠用領域から近用部３としての近用領域までを滑らかに焦点変化させた累進屈折レンズとして構成してもよく、また、近用部３と遠用部２が多数に細分化された多重焦点レンズとして構成してもよい。
【００７１】
（６）前述の実施形態では、遠近両用眼鏡レンズ１を視対象側に膨らんだ凸面に構成した場合を例に挙げて説明したが、遠近両用眼鏡レンズ１を視対象側とは反対側に膨らんだ凹面に構成してもよい。この場合、遠近両用眼鏡レンズモールド４の成形面４Ａを凸面に構成し、レンズ形成台７のレンズ形成面７Ａを凸面に構成すればよい。
【図面の簡単な説明】
【００７２】
【図１】本発明に係る遠近両用眼鏡レンズの平面図
【図２】図１のＡ−Ａ線断面図
【図３】本発明に係る遠近両用眼鏡レンズモールドの平面図
【図４】図３のＡ−Ａ線断面図
【図５】本発明に係るレンズ形成台の平面図。
【図６】図５のＡ−Ａ線断面図
【図７】本発明に係る遠近両用眼鏡レンズモールドの形成工程を示す説明図
【図８】本発明に係る遠近両用眼鏡レンズの成形工程を示す説明図
【図９】その他の実施形態における遠近両用眼鏡レンズの平面図
【図１０】その他の実施形態におけるレンズ形成台の断面図
【符号の説明】
【００７３】
１            遠近両用眼鏡レンズ（樹脂製）
１’          遠近両用眼鏡レンズ（ガラス製）
１Ｂ          レンズ外周縁部
２            遠用部
３            近用部
４            遠近両用眼鏡レンズモールド
４Ａ          成形面
５            遠用部成形面部
６            近用部形成面部
７            レンズ形成台
７Ａ          形成面
８            遠用部形成面部
９            近用部形成面部
１０          レンズ注型
Ｒ            成形済み遠近両用眼鏡レンズ
Ｍ            成形済み遠近両用眼鏡レンズモールド
Ｇ            溶融レンズ原料
【図１】
2007163869.tif 000003
【図２】
2007163869.tif 000004
【図３】
2007163869.tif 000005
【図４】
2007163869.tif 000006
【図５】
2007163869.tif 000007
【図６】
2007163869.tif 000008
【図７】
2007163869.tif 000009
【図８】
2007163869.tif 000010
【図９】
2007163869.tif 000011
【図１０】
2007163869.tif 000012